(57)【要約】【課題】１種類の捲糸しか使用していないにも関わらず杢調のシックな雰囲気を備えるとともに十分な強度を備えたタイツを提供する。【解決手段】タイツ１は、腹部および臀部を被覆するパンティー部３と、脚を被覆するレッグ部２とを備え、筒状に編成された１対の編地を用い、パンティー部３に相当する部分に切れ目を入れて裁断縁どうしをつき合わせて股部４を縫着して一体化される。このタイツ１は、ポリウレタン弾性糸を芯糸としてナイロン双糸（原着糸（黒色）と生成糸との双糸）を巻き付けたカバリング糸の１種類のみで編成するゾッキ編みで編成し、編成した後に白および黒以外の無彩色（グレー色、灰色）に染色している。【選択図】図１
2018131703.tif 000002
【特許請求の範囲】
【請求項１】
ウレタン弾性糸の芯糸に捲糸を巻着させたカバリング糸を用いてゾッキ編みした下半身用衣類であって、
前記捲糸が、非弾性糸の原着糸と非弾性糸の生成糸との双糸である、下半身用衣類。
【請求項２】
原着糸は黒色で染色され、編成後に白および黒以外の無彩色で染色された、請求項１に記載の下半身用衣類。
【発明の詳細な説明】
【技術分野】
【０００１】
本発明は、タイツまたはパンティーストッキングに代表される下半身用衣類（パンティーストッキング型およびレッグ部のみのタイツまたはストッキング、ショートストッキング、靴下、フットカバー、スパッツ等）に関し、特に、カバリング糸を用いたゾッキ編みのタイツに代表される下半身用衣類であって１種類の捲糸しか使用していないにも関わらず杢調（グレー等の霜降り状のような複数色から編成されたミックスニット）のシックな雰囲気を発現させることのできる下半身用衣類に関する。
【背景技術】
【０００２】
近年の生活習慣上、人が靴を履くときに足に装着する衣類としての靴下を多くの人々が使用している。そのような衣類の中で、特に、女性の下半身を覆うタイツおよびストッキングは、外出時における女性の脚部の保護および保温さらには脚線美の向上の観点等から、広く世間に浸透している。
現在市販されているほとんどのタイツおよびストッキングは、ナイロン糸、または、ナイロン糸とポリウレタン糸とで編まれている。使用している糸により、「交編」および「ゾッキ」の２種類に大別される。
【０００３】
交編タイプ（交編編み）は、ナイロン糸と、サポート糸（ポリウレタン糸にナイロン糸を巻き付けたカバリング糸）を交互に使用して編成する。ある程度のサポート（弾性）力および透明感の両方を求めるときに好適である。種類が異なる２種類の糸を使用するため（構造上どうしても）横縞模様が表れやすい。
ゾッキタイプ（ゾッキ編み）は、一般的にはサポート糸（ポリウレタン糸にナイロン糸を巻き付けたカバリング糸）だけで編成されているものが多い。良好なフィット性を求めるときに好適である。また、いわゆる伝線（使用中に編み組織の一部に引掛傷ができ糸が切れると生成される編み組織が解編されたはしご状の線）が発生しにくいという特徴を備えたゾッキ編みが、最近では増えてきている。
【０００４】
このように２種類の編み方に大別されるものの、カバリング糸は伸縮性を有すること等から、ストッキングやタイツ等の編み糸として広く用いられている。ここで、タイツは専ら冬季に着用され、保温性を重視したものとなっており、タイツにはアクリルのバルキー糸１００％のもの、カバリング糸とナイロンフィラメント加工糸との交編タイプのもの、またはカバリング糸１００％のいわゆるゾッキタイプのものがあり、形状としてはパンティーストッキング型のものやレッグ部のみのものがある。
【０００５】
このようなタイツに用いられるカバリング糸としては、ポリウレタン弾性糸を芯糸としてナイロンフィラメント加工糸を１重に被覆したＳＣＹ（シングル・カバード・ヤーン）または２重に被覆したＤＣＹ（ダブル・カバード・ヤーン）ものが、主に用いられている。このように、芯糸をポリウレタン弾性糸として捲糸をナイロン糸としたカバリング糸が、タイツやストッキング等の下半身用衣類の編み糸として広く用いられている。
【０００６】
その一方、実用新案登録第３１７２０４１号公報（特許文献１）は、捲糸として綿等の天然繊維糸を用いたカバリング糸を用いた、下半身用衣類の１種である靴下を開示する。この靴下は、１００％綿のコンパクトヤーン（糸の表面の毛羽を伏せて製造された綿糸）をポリウレタン弾性糸の芯糸にカバリングし、裏糸をこのカバリング糸として、表糸を綿等の天然繊維糸として編組して靴下を編成したことを特徴とする。
【０００７】
このようなカバリング糸を用いて編成した靴下によると、綿１００％の天然繊維糸でポリウレタン弾性糸を巻き付けたカバリング糸が吸湿速乾の特性を有し、さらにこれを裏糸として足の肌に直接的に触れて汗等の水分を吸収でき、かつ表面積が広くできて乾燥も速くできる。
【先行技術文献】
【特許文献】
【０００８】
【特許文献１】実用新案登録第３１７２０４１号公報
【発明の概要】
【発明が解決しようとする課題】
【０００９】
ところで、最近ではミニスカートが若い女性の間に定着し、冬季でもスカート類および／またはブーツとタイツまたはパンティーストッキングとをコーディネイトするレッグファッションが注目されている。ユーザは、このようなファッション指向を重視してタイツの色調を選択する。ここで、ファッション指向によっては杢調等が好まれる傾向にある。上述したように、杢調とは、グレー等の霜降り状のような複数色から編成されたミックスニットにより、スポーティーになりすぎずシックな雰囲気を演出することができ、特に秋冬物の衣類に好ましく用いられることが多い。タイツまたはストッキングに代表される下半身用衣類においてこの杢調を表現するためには基本的に編地の表面に見える糸（ここではカバリング糸の巻着糸）に２以上の種類の糸を使用する必要がある。そして、天然繊維である綿糸を捲糸の１種類として採用することも杢調を発現させる点で好ましい。
【００１０】
一方、特許文献１は、芯糸としてポリウレタン弾性糸、捲糸として綿糸から構成されるシングルカバリング糸を用いた靴下を開示している。しかしながら、このカバリング糸をタイツへ適用して杢調のタイツを実現しようとしても、特許文献１に開示されたカバリング糸は、（ａ）捲糸して１種類の繊維（綿糸）しか使用していないので杢調が発現することが難しい、（ｂ）そもそも靴下よりも薄く強度が要求されるタイツやストッキングにおいて捲糸に（綿糸よりも強度が十分に大きい）ナイロン糸を用いないために十分な強度が発現できない、という課題がある。
【００１１】
本発明は、従来技術の上述の問題点に鑑みて開発されたものであり、その目的とするところは、カバリング糸を用いたゾッキ編みのタイツまたはストッキングに代表される下半身用衣類において、１種類の捲糸しか使用していないにも関わらず杢調のシックな雰囲気を発現させるとともに十分な強度を発現させることのできる、下半身用衣類を提供することを目的とする。
【課題を解決するための手段】
【００１２】
上記目的を達成するため、本発明に係る下半身用衣類は以下の技術的手段を講じている。
すなわち、本発明に係る下半身用衣類は、ウレタン弾性糸の芯糸に捲糸を巻着させたカバリング糸を用いてゾッキ編みした下半身用衣類であって、前記捲糸が、非弾性糸の原着糸と非弾性糸の生成糸との双糸である。
【００１３】
好ましくは、原着糸は黒色で染色され、編成後に白および黒以外の無彩色で染色されたように構成することができる。
【発明の効果】
【００１４】
本発明によれば、カバリング糸を用いたゾッキ編みのタイツまたはストッキングに代表される下半身用衣類において、１種類の捲糸しか使用していないにも関わらず杢調のシックな雰囲気を発現させるとともに十分な強度を発現させることができる。
【図面の簡単な説明】
【００１５】
【図１】本発明の実施の形態に係るタイツの概略正面図である。
【図２】（Ａ）は図１のタイツを編成するカバリング糸を説明するための図であって、（Ｂ）はカバリング糸の捲糸であるナイロン双糸を説明するための拡大図である。
【図３】図１のタイツの編み組織を示す図である。
【発明を実施するための形態】
【００１６】
以下、本発明の実施の形態に係る下半身用衣類の一例であるタイツ１を、図１〜図３に基づき詳しく説明する。ここで、本発明に係る下半身用衣類は、タイツに限定されるものではなく、パンティーストッキング型およびレッグ部のみのタイツまたはストッキング、ショートストッキング、靴下、フットカバー、スパッツ等を含む。
図１に本実施の形態に係るタイツ１の概略正面図を、図２に図１のタイツ１を編成するカバリング糸５を説明するための図を、図３に図１のタイツ１の編み組織を示す図を、それぞれ示す。
【００１７】
これらの図に示すように、このタイツ１は、通常のパンティーストッキング等の下半身用衣類と同じく（パンティー部を備えるという点で同じ）、腹部および臀部を被覆するパ
ンティー部３と、脚を被覆するレッグ部２とを備えるものである。このタイツ１は、筒状に編成された１対の編地を用い、パンティー部３に相当する部分に切れ目を入れて裁断縁どうしをつき合わせて股部４を縫着して一体化することにより製造される。また、足部の爪先部は周知の手段により、袋状に縫着することにより製造される。
【００１８】
なお、本発明において、対象をタイツとしているが、部分的にその機能を備えたスパッツ等を含むことは上述した通りである。
本実施の形態に係るタイツ１を構成する編地は、編み糸として図２に示すカバリング糸（ＳＣＹ）５を用いて、編み組織の一例として図３に示すように平編ループ８を用いて、ゾッキ編みされた伸縮性平編地で構成される。なお、図３は、模式的に編み組織を表した図であるため、図３においては、平編ループ８の大きさとカバリング糸５の径とポリウレタン弾性糸６の径とナイロン双糸７の径との比率は、現実のものと異なっている。
【００１９】
このタイツ１は、ウレタン弾性糸の一例であるポリウレタン弾性糸６を芯糸として非弾性糸の一例であるナイロン双糸７（後述するようにこのナイロン双糸７は原着糸７Ａ（黒色）と生成糸７Ｂとの双糸）を巻き付けたカバリング糸５の１種類のみで編成するゾッキ編みで編成し、編成した後に白および黒以外の無彩色（グレー色、灰色）で染色した。このため、（Ａ）カバリング糸５の捲糸が綿糸等ではなく強度に優れたナイロン糸であるために強度が良好で破れにくいタイツ１であって、（Ｂ）カバリング糸５の捲糸に非弾性糸としてナイロンのみの１種類を採用しているにも関わらず風合い良い杢調を備えたタイツ１を実現している。また、ゾッキ編みであることにより、肌触りの滑らかなタイツ１を実現している。
【００２０】
図２に示すように、カバリング糸５は、芯糸としてポリウレタン弾性糸６を用い、捲糸としてナイロン双糸７を用いている。このカバリング糸５について以下に詳しく説明する。
芯糸であるポリウレタン弾性糸６は、エーテル結合を持つエーテルタイプであってもエステル結合を持つエステルタイプであっても構わない。その太さは、パワー（緊縛力）が強すぎることなく最適なパワーとなる範囲のものであれば特に限定されない。また、フィラメント数はモノフィラメントおよびマルチフィラメントのいずれでもよい。
【００２１】
ポリウレタン弾性糸６に被覆する捲糸としての非弾性糸であるナイロン双糸７としては、上述した特徴（原着糸７Ａ（黒色）と生成糸７Ｂとの双糸）以外は特に限定されるものではなく、タイツ１に要求される性能に応じて適宜選択される。
本実施の形態に係るタイツ１における編糸であるカバリング糸５は、その芯糸であるポリウレタン弾性糸６は通常のタイツやストッキングに用いられるものであるが、カバリング糸５の捲糸としてナイロン双糸７を採用している点が大きな特徴である。特に、捲糸であるナイロン双糸７が原着糸７Ａ（黒色）と生成糸７Ｂとの双糸で構成されている点がさらなる特徴である。さらに、本実施の形態に係るタイツ１における編地は、（編地の種類である平編みは一例ではあるが）ポリウレタン弾性糸６にナイロン双糸７を巻き付けたカバリング糸５のみでゾッキ編みされた伸縮性平編地である点が特徴である。
【００２２】
そして、このように編成された後に（図１のように編成された後に）、タイツ１は白および黒以外の無彩色（グレー色、灰色）に染色されている。この染色工程の後に実施されるセット工程等については、通常のタイツやストッキングに用いられる処理工程である。
染色工程においては、捲糸であるナイロン双糸７のうちの生成糸７Ｂはグレーに染まり、原着糸７Ａは元々の黒色にグレーが加えられて、生成糸７Ｂと原着糸７Ａとはともに黒色〜グレー色系統であるものの、異なる色調を発現することになり、これにより、１種類の捲糸しか使用していないにも関わらず杢調のシックな雰囲気を発現させることができる。なお、ここでいう１種類の（捲）糸とは、繊維の種類（綿、麻、羊毛、ナイロン、ポリエステル、レーヨン、アクリル等）が１種類であることを意味する。ここでは、カバリング糸５の捲糸であるナイロン双糸７は、その双糸が原着糸７Ａと生成糸７Ｂとであって、原着糸７Ａも生成糸７Ｂもともにナイロンという点で、捲糸は１種類という意味である。
【００２３】
次に、本実施の形態に係るタイツ１を編成する編糸の具体的な例について、以下に列挙する。
［芯糸：ポリウレタン弾性糸６］
繊度：１５〜７８ｄｔｅｘ
フィラメント数：１〜３
［捲糸：ナイロン双糸７］
・ナイロン原着糸７Ａ
繊度：２２〜７８ｄｔｅｘ
フィラメント数：１０〜１００
・ナイロン生成糸７Ｂ
繊度：１０〜１１０ｄｔｅｘ
フィラメント数：２〜１４０
さらに、カバリング糸５のカバリング状態については、以下の通りである。
【００２４】
ポリウレタン弾性糸６のドラフト率が２．５〜４倍、かつ、ナイロン双糸７の（単位長さあたりの）撚り数が５００〜２５００Ｔ／ｍである。
このような範囲であると、上述したように、（Ａ）カバリング糸５の捲糸が綿糸等ではなく強度に優れたナイロン糸であるために強度が良好で破れにくいタイツ１であって、（Ｂ）カバリング糸５の捲糸に非弾性糸としてナイロンのみの１種類を採用しているにも関わらず風合い良い杢調を備えたタイツ１を実現することができる。
【００２５】
以上のようにして、本実施の形態に係るタイツによると、
（１）編糸として、ポリウレタン弾性糸６を芯糸としてナイロン双糸７を巻き付けたカバリング糸５を用いたこと、
（２）ナイロン双糸７がナイロン原着糸７Ａとナイロン生成糸７Ｂとの双糸を用いたこと、
（３）編成として、カバリング糸５の１種類のみでゾッキ編みしたこと、
（４）編成後の染色工程において、タイツ１を灰色で染色したこと
により、上述した（Ａ）および（Ｂ）を備えたタイツを実現することができる。
【００２６】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
たとえば、多機能なタイツを実現するために（吸汗性や保温性や消臭性を備える、伝線しにくい等）、カバリング糸の芯糸である弾性糸に巻着される捲糸が非弾性の原着糸と生成糸との双糸であること、ゾッキ編みであること、および編成後に灰色で染色することを除いて、糸および編み組織が適宜選択されていることも好適である。また、カバリング糸は上述したようなＳＣＹではなくＤＣＹであっても構わないし、捲糸が非弾性の双糸で原着糸と生成糸であることを除けば、芯糸および捲糸の種類（組成、太さ等）も限定されるものではない。
【産業上の利用可能性】
【００２７】
本発明は、タイツまたはストッキングに代表される下半身用衣類に好適であり、１種類の捲糸しか使用していないにも関わらず杢調のシックな雰囲気を発現させるとともに十分な強度を発現させることのできる下半身用衣類に特に好適である。
【符号の説明】
【００２８】
１    タイツ
２    レッグ部
３    パンティー部
４    股部
５    カバリング糸
６    ポリウレタン弾性糸
７    ナイロン双糸
７Ａ  ナイロン原着糸
７Ｂ  ナイロン生成糸
８    平編ループ
【図１】
2018131703.tif 000003
【図２】
2018131703.tif 000004
【図３】
2018131703.tif 000005